(57)【要約】【課題】表示データの処理負担を軽減し、処理速度を向上する。【解決手段】本体部に対して複数の付属部を連結して設置される画像形成装置において、本体部と付属部とを合わせた全体の形態を模したビットマップ画像Ｂ０を表示データとしてメモリに格納しておき、表示画面１０１ａ上でビットマップ画像Ｂ０を表示させるために必要な表示領域Ａを複数の分割領域Ｒ１〜Ｒ５に区分けする。実際の付属部の有無に応じて個々の分割領域Ｒ１〜Ｒ５に対する表示の可否を決定し、表示が許可された分割領域Ｒ１〜Ｒ５では表示データに基づいて個別画像Ｂ１〜Ｂ５を表示させるが、表示が許可されていない分割領域Ｒ１〜Ｒ５については非表示とする。【選択図】図６
2008270958.tif 000002
【特許請求の範囲】
【請求項１】
画像データに基づいて形成した画像を媒体に印刷する本体部と、
前記本体部に連結して設置される付属部と、
前記本体部又は前記付属部に設けられた画像表示器と、
前記本体部と前記付属部とを合わせた全体の形態を模した形態画像を表示データとして格納するデータ格納手段と、
前記画像表示器の表示画面上で前記形態画像を表示させるために必要な表示領域を複数の分割領域に区分けし、個々の分割領域に対する表示の可否を決定する表示可否決定手段と、
前記複数の分割領域のうち、前記表示可否決定手段により表示が許可された分割領域では前記表示データに基づいて前記形態画像を表示させる一方、表示が許可されていない分割領域については前記形態画像を非表示とする表示制御手段と
を備えたことを特徴とする画像形成装置。
【請求項２】
画像データに基づいて形成した画像を媒体に印刷する本体部と、この本体部に連結可能な付属部とを有し、前記本体部が単独で設置されるか、もしくは前記本体部に対して前記付属部を単数又は複数に連結した状態で設置される画像形成装置において、
前記本体部又は前記付属部に設けられた画像表示器と、
前記本体部に対して最大数の前記付属部を連結した場合の全体の形態を模した形態画像を表示データとして格納するデータ格納手段と、
前記画像表示器の表示画面上で前記形態画像を表示させるために必要な表示領域を複数の分割領域に区分けし、個々の分割領域に対する表示の可否を決定する表示可否決定手段と、
前記複数の分割領域のうち、前記表示可否決定手段により表示が許可された分割領域では前記表示データに基づいて前記形態画像を表示させる一方、表示が許可されていない分割領域については前記形態画像を非表示とする表示制御手段と
を備えたことを特徴とする画像形成装置。
【請求項３】
請求項１又は２に記載の画像形成装置において、
前記本体部に対して実際に連結された前記付属部を検出する構成検出手段をさらに備え、
前記表示可否決定手段は、前記構成検出手段による検出結果に基づいて個々の前記分割領域に対する表示の可否を決定することを特徴とする画像形成装置。
【請求項４】
請求項１から３のいずれかに記載の画像形成装置において、
前記データ格納手段は、前記本体部及び前記付属部のそれぞれの形態を個別に模した複数の個別画像を組み合わせた状態で前記形態画像を１つの表示データとして格納しており、
前記表示可否決定手段は、前記表示領域内に表示される個々の前記個別画像に合わせて前記分割領域を区分けしていることを特徴とする画像形成装置。
【発明の詳細な説明】
【技術分野】
【０００１】
本発明は、例えばプリンタや複写機、ファクシミリ送受信機、これらの機能を備えた複合機等の画像形成装置に係り、特にユーザ向けの情報を表示する表示画面を備えた画像形成装置に関する。
【背景技術】
【０００２】
この種の画像形成装置に関する先行技術として、複数の構成要素から成るプリンタの表示制御装置が挙げられる（特許文献１参照）。この先行技術では、構成要素の種類ごとに複数の表示用データが記憶装置の複数の記憶領域に格納されるとともに、記憶装置には予め１種類の構成要素の組み合わせ情報が合わせて記憶されている。
【０００３】
上記の先行技術によれば、１つのプリンタを構成する要素として給紙装置、印刷制御装置、排紙装置等が１０種類以上あった場合、構成要素の種類ごとに表示用データを記憶しておき、これらを実際のプリンタの装置構成の組み合わせ情報に基づいて適宜組み合わせて表示することができる。このため先行技術では、プリンタの装置構成の種類ごとに全ての表示用データを格納しておく必要がなく、それだけ記憶装置の容量を小さく抑えることができる。
【特許文献１】特許第３４８３１５１号公報
【発明の開示】
【発明が解決しようとする課題】
【０００４】
先行技術のように、給紙装置や印刷制御装置、排紙装置等の構成要素の種類別に表示用データを格納している場合、装置全体の構成（組み合わせ）が変わると、その度ごとに表示用データを構築し直す必要があるため、それだけデータ処理の負担が大きいという問題がある。
【０００５】
また先行技術の場合、実際に表示用データを画面に表示させるまでには、種類毎に断片化して格納されている表示用データを収集し、これら収集した表示用データを構築（マッピング）し、そして、構築した表示用データを転送して画面に出力させるといった複雑なプロセスを必要とする。このため先行技術の手法は処理速度の面で効率的とはいえない。
【０００６】
そこで本発明は、データの処理負担を軽減し、その処理速度を向上することができる技術の提供を課題としたものである。
【課題を解決するための手段】
【０００７】
第１の発明は、本体部に付属部を連結して構成される画像形成装置である。このうち本体部は、画像データに基づいて形成した画像を媒体に印刷する機能を有する。付属部は本体部に連結して設置され、例えば本体部の機能を補助したり、あるいは別の機能を付加したりするものである。この場合、画像形成装置は本体部と付属部とが連関して動作する１つのシステムを構成する。
【０００８】
本体部又は付属部に画像表示器が設置されており、その表示画面上には本体部及び付属部を合わせたシステム全体の形態を模した形態画像が表示される。この形態画像は、データ格納手段に格納された１種類の表示データに基づいて表示されているが、その表示画面上では形態画像を表示させるために必要な表示領域が複数の分割領域に区分けされている。特に第１の発明では、複数に区分けされた個々の分割領域に対する表示の可否を決定することで、１種類の表示データを用いて複数通りの形態画像を表示することができる。
【０００９】
具体的には、複数の分割領域のうち、表示が許可された分割領域では表示データに基づいて形態画像を表示させるが、その一方で、表示が許可されていない分割領域については形態画像を非表示とする制御を行う。すなわち、元々の表示データは１種類であるが、画面上で表示が許可されない分割領域内では表示データが非表示の状態となるので、表示／非表示の切り換えによって複数通りの形態画像が表示される。これにより、本体部と付属部とを合わせたシステム全体の形態が変化した場合であっても、その変化に応じて分割領域の表示／非表示を制御することで、様々なシステムの形態に合わせた形態画像を表示することができる。
【００１０】
次に第２の発明は、本体部が単独で設置されるか、もしくは本体部に対して付属部を単数又は複数に連結した状態で設置される画像形成装置である。この場合、システム全体としての構成は付属部の数（０〜最大数）に応じて複数通りになる。
【００１１】
第２の発明においても、その表示画面上にはシステム全体の形態を模した形態画像が表示されるが、形態画像は本体部に対して最大数の付属部を連結した場合に相当する１種類の表示データに基づいて表示される。そして第２の発明では、複数に区分けされた個々の分割領域に対する表示の可否を決定することで、１種類の表示データを用いて複数通りの形態画像を表示することができる。
【００１２】
具体的には、複数の分割領域のうち、表示が許可された分割領域では表示データに基づいて形態画像を表示させるが、その一方で、表示が許可されていない分割領域については形態画像を非表示とする制御を行う。すなわち、元々の表示データは最大数の付属部を有したシステム全体の形態画像を表示するためのものであるが、表示画面上で表示が許可されない分割領域内では表示データが非表示の状態となるので、実際の画面上では付属部に相当する形態画像を部分的に隠す（表示させない）ことができる。
【００１３】
このため、実際のシステム構成中での付属部の有無に応じて分割領域ごとに表示／非表示を切り換えれば、画面上で付属部が全く連結されていないシステム構成（本体部のみ単独）の形態画像を表示させることもできるし、１〜最大数までの付属部が連結された複数通りのシステム構成に対応した形態画像を表示させることもできる。
【００１４】
なお第１及び第２の発明では、本体部に対して実際に連結された付属部を検出し、その検出結果に基づいて個々の分割領域に対する表示の可否を決定することができる。これにより、実際のシステム全体の形態を正確に模した形態画像を確実に表示することができる。
【００１５】
また、表示用データは１種類であるが、形態画像は複数の個別画像を組み合わせて構成されている。すなわち形態画像は、本体部の形態を単独で模した個別画像と、各付属部の形態を単独で模した個別画像とを組み合わせて構成されている。この場合、表示画面上では個々の個別画像にそれぞれ対応させて分割領域を区分けすることができる。具体的には、表示領域内で本体部の個別画像が表示される範囲を１つの分割領域として区分けし、さらに個々の付属部が表示される範囲をそれぞれ分割領域として区分けすることができる。
【００１６】
この場合、表示画面上で１つ１つの分割領域が本体部の個別画像又は各付属部の個別画像に対応するため、実際のシステム構成上でみた付属部の有無に合わせて分割領域の表示／非表示を切り換えることができる。
【発明の効果】
【００１７】
本発明によれば、様々なシステムの構成に合わせた形態画像を表示する場合であっても、使用する表示データは１種類だけであり、あとは複数の分割領域を個々に表示／非表示に切り換えるだけでよい。したがって、形態画像を表示する際のデータ処理負担が軽減されるし、それだけ処理速度を向上して効率化を図ることができる。
【００１８】
また言うまでもなく、システムの構成パターンが複数通りに変化する場合であっても、構成パターンごとに重複したデータを持つ必要がなく、保持するデータ量を最小に抑えることができる。
【発明を実施するための最良の形態】
【００１９】
以下、本発明の実施形態について図面を参照しながら説明する。
図１は、一実施形態の画像形成装置１を概略的に示した垂直断面正面図である。図１中の正面がユーザに相対する画像形成装置１の前面に相当する。また、図１中の右方は画像形成装置１の右側面であり、左方は画像形成装置１の左側面である。なお、図１中の実線矢印は画像形成装置１内部での用紙の搬送経路及びその搬送方向を示している。
【００２０】
画像形成装置１は、例えば複写機や複合機、ネットワーク用の多機能周辺機器（ＭＦＰ）等である。画像形成装置１は、胴内排紙型と称される箱形状の本体部２を備えている。
このため本体部２の内側には、胴内型の用紙排出トレイ１５が形成されている。この用紙排出トレイ１５には、画像形成装置１で印刷された用紙が本体部２の左側から右側へ向かって排出されるものとなっている。ユーザは、用紙排出トレイ１５に排出された用紙を本体部２の正面側（又は右側）から取り出すことができる。なお、画像形成装置１には胴内排紙型でない排出トレイが設けられていてもよいし、パンチング処理やステープル処理等の後処理を行う後処理装置（図示されていない）が連結されていてもよい。
【００２１】
本体部２の上側には、原稿送り装置８が搭載されている。画像形成装置１を複写機やファクシミリ、ネットワークスキャナとして利用するときは、原稿送り装置８に原稿をセットして原稿を読み取らせることができる。本体部２の上部位置には光学式の画像読取部９が内蔵されている。画像読取部９は図示しないコンタクトガラスを備え、その上面に置かれた原稿又は原稿送り装置８で搬送される原稿の画像面は、画像読取部９にて光学的に読み取られる。
【００２２】
また原稿送り装置８は、図示しないヒンジ機構を介して本体部２に連結されている。ヒンジ機構は本体部２の後端部に位置しており、原稿送り装置８はヒンジ機構を支点として上方へ跳ね上げるようにして動作し、画像読取部９の上面を開放することができる。
【００２３】
本実施形態の画像形成装置１では、本体部２の下側に標準又はオプションで用紙供給部（付属部）５０を連結して使用することができる。例えば、本体部２に１段の用紙供給部５０が連結された構成を画像形成装置１の標準構成とすると、図１の例は、標準構成に加えて２段の用紙供給部５０が順次重なった状態で連結されたオプション構成である。これら用紙供給部５０には、個々に用紙カセット５２、給紙ユニット５４、用紙通路５６及び搬送ローラ５８が設けられている。このうち用紙カセット５２には枚葉の用紙Ｐが積層して収容されており、用紙Ｐは、その最上層のものから順に給紙ユニット５４により左上方へ繰り出され、用紙通路５６を通じて鉛直上方へ搬送される。上方へ搬送された用紙Ｐは、本体部２の搬送ローラ４６に引き継がれて用紙搬送路４２内に送り込まれる。
【００２４】
また、上下に重なる用紙供給部５０間でみて、用紙通路５６は相互に上端と下端とが連結された状態にある。このため３段ある用紙供給部５０のうち、上から２段目以降の下層に位置するものから繰り出された用紙Ｐは、その上層の用紙通路５６内で搬送ローラ５８に引き継がれながら鉛直上方へ搬送されていくものとなっている。
【００２５】
なお本体部２の右側面には、開閉式の手差しトレイ５が備えられている。手差しトレイ５は、用紙カセット５２に収容されていないサイズの用紙や、ＯＨＰシート等を１枚ずつ給紙する場合に使用される。不使用時には、手差しトレイ５は本体部２の右側面にたたみ込んで収納される。
【００２６】
用紙供給部５０から送り出された用紙Ｐは、用紙搬送路４２を通ってレジストローラ７に引き渡される。また手差しトレイ５から送り出された用紙Ｐは本体部２の内部を右側から左方向へ水平に搬送されて用紙搬送路４２に合流し、そしてレジストローラ７に引き渡される。
【００２７】
画像形成装置１において画像の形成は、以下のように行われる。本体部２内には、用紙搬送路４２からの用紙搬送方向でみて下流位置にプリントエンジン１０及び転写部１１が備えられている。このうちプリントエンジン１０では、読み取り画像を処理した画像データ、又は外部機器から送信された画像データに基づいて静電潜像が形成され、さらにこの静電潜像からトナー画像が形成（現像）される。
【００２８】
プリントエンジン１０で静電潜像を形成するため、その右方に隣接してレーザースキャニングユニット２０が配置されている。レーザースキャニングユニット２０は図１中に１点鎖線矢印で示されているように、プリントエンジン１０の感光体ドラムの表面に走査ビームを照射する。
【００２９】
レジストローラ７は、用紙Ｐの斜め送りを矯正するとともに、プリントエンジン１０で形成されるトナー画像との同期をとりながら転写部１１に向けて用紙Ｐを送り出す。転写部１１では、レジストローラ７によって同期をとりつつ送られてきた用紙Ｐにトナー画像が転写される。
【００３０】
定着装置１２は、用紙搬送方向でみて転写部１１の下流側に配置されている。転写部１１にて未定着トナー画像を転写された用紙Ｐは定着装置１２へと送られる。定着装置１２は、ヒートローラ１２ａ及び加圧ローラ１２ｂを内蔵しており、これらの間のニップを通過する際、用紙Ｐはここで加熱・加圧されてトナー画像を定着される。
【００３１】
両面印刷を行わない場合（片面印刷の場合）、定着装置１２から排出された用紙Ｐは排出ローラ１３により用紙排出トレイ１５に排出される。両面印刷を行う場合、用紙Ｐは一旦、排出ローラ１３により用紙排出トレイ１５に向けて途中まで送り出された後、搬送方向が切り換えられて用紙反転経路３２に引き込まれる。引き込まれた用紙Ｐは、本体部２の左側面に沿って用紙反転経路３２内を下方へ搬送された後、用紙供給部５０の上方位置で上向きに反転され、レジストローラ７に送られる。
【００３２】
画像形成装置１の外装カバー上には操作・表示部６０が装備されており、この操作・表示部６０には各種の操作ボタンや液晶表示器等が設置されている。このうち操作ボタンに対しては、ユーザによる操作入力が行われる。また液晶表示器の表示画面上には、ユーザに対する各種の文字情報（ステータス、操作メニュー等）が表示されるほか、画像形成装置１やその付属部の形態を模した形態画像が表示されるものとなっている。このような形態画像は、例えば画像形成装置１の動作中に用紙のジャム（詰まり）が発生した位置や、用紙切れとなった用紙供給部５０をユーザに対して視覚的に伝達する目的で利用される。以下、本実施形態における形態画像の表示制御について詳しく説明する。
【００３３】
図２は、操作・表示部６０に設置された液晶表示器１００の制御に関するブロック図である。液晶表示器１００の制御は、例えば表示制御部１０２で行われる。ここでは表示制御部１０２の構成として、例えばＣＰＵ（中央演算処理装置）１０４、ＬＣＤコントローラ１０６、表示データメモリ１０８、マスクパターンメモリ１１０、ＲＡＭ１１２及びインタフェース１１４が挙げられる。
【００３４】
表示制御部１０２は、例えば画像形成装置１の本体部２に内蔵された１つの回路基板として構成することができる。回路基板上には上記の各構成要素が実装されており、図示しない配線パターンやバス１１６を介して相互に接続されている。ＣＰＵ１０４やＬＣＤコントローラ１０６、ＲＡＭ１１２には汎用のものを使用することができる。なおＣＰＵ１０４は、専用にアプリケーションを組み込まれたもの（ＡＳＩＣ）であってもよいし、メモリ１０８，１１０やＲＡＭ１１２を内蔵したパッケージ品であってもよい。また上記の操作ボタンを用いた操作信号は、インタフェース１１４を通じて表示制御部１０２に入力される。
【００３５】
表示データメモリ１０８は、例えばＲＯＭ、ＥＥＰＲＯＭ等の記憶装置であり、この表示データメモリ１０８の記憶領域（メモリブロック）には、液晶表示器１００に表示される画像の素材となるべき表示データが格納されている。なお、表示データの詳細については後述する。
【００３６】
マスクパターンメモリ１１０もまた、例えばＲＯＭ、ＥＥＰＲＯＭ等の記憶装置である。このマスクパターンメモリ１１０には、ＣＰＵ１０４が表示データをＬＣＤコントローラ１０６に転送する際に使用するマスクパターンが記憶されている。なお、マスクパターンの詳細についても後述する。
【００３７】
表示制御部１０２には、本体制御部１２０からシステム構成情報が入力される。このシステム構成情報は、画像形成装置１の本体部２に対し、標準又はオプションで用紙供給部５０を連結した場合にシステム全体の構成を識別するためのものである。具体的には、画像形成装置１のシステムが本体部２単独の構成であるのか、本体部２に１つの用紙供給部５０を連結した構成であるのか、２つの用紙供給部５０を連結した構成であるのか、３つ又は４つ以上の用紙供給部５０を連結した構成であるのかを識別するための情報である。
【００３８】
本体制御部１２０は画像形成装置１の画像形成動作を制御する機能を有したユニットとして本体部２に内蔵されており、上記のシステム構成情報は本体制御部１２０で生成されている。なお図示されていないが、本体制御部１２０もまたＣＰＵ等の演算処理装置や記憶装置、インタフェース等を有する回路基板の形態で構成されている。各用紙供給部５０には、例えばドロワ式のオプションコネクタ１２２が設置されており、本体部２に用紙供給部５０が連結されると、同時にオプションコネクタ１２２が接続されるものとなっている。また用紙供給部５０を複数段に重ねて連結すると、本体部２に対してカスケードにオプションコネクタ１２２が接続される。各オプションコネクタ１２２は本体制御部１２０と共通のグランドレベルに接地されており、本体制御部１２０は、各オプションコネクタ１２２の接続信号（ＯＮ又はＯＦＦ）に基づいて用紙供給部５０の段数を検出することができる。用紙供給部５０に複数の種類がある場合、上記の接続信号には種類を識別するための情報（４ビット程度）がさらに含まれる。
【００３９】
〔表示領域〕
図３は、液晶表示器１００の表示画面１００ａの一例を示す概略図である。本実施形態では、表示画面１００ａ上に１点鎖線で示される表示領域Ａが規定されており、この表示領域Ａには、ビットマップ画像（形態画像）Ｂ０の全体が表示されるものとなっている。このビットマップ画像Ｂ０は、本体部２に最大数（ここでは３つ）の用紙供給部５０を連結した場合のシステム全体の形態を模したものである。
【００４０】
〔分割領域〕
さらに、表示画面１００ａ内で表示領域Ａは複数の分割領域Ｒ１〜Ｒ５に分割されている。図３中の１点鎖線で区画された個々の矩形領域がそれぞれ分割領域Ｒ１〜Ｒ５に相当している。これら分割領域Ｒ１〜Ｒ５は、表示画面１００ａ上で上下に隣接して配置されており、この例では縦方向で５段に分割領域Ｒ１〜Ｒ５が配列されている。なお、表示領域Ａの輪郭や分割領域Ｒ１〜Ｒ５を区画する１点鎖線は、実際の表示画面１００ａ上には表示されない。
【００４１】
図４は、ビットマップ画像Ｂ０及びマスクパターンを示す図である。図４中（Ａ）はビットマップ画像Ｂ０の全体図であり、図４中（Ｂ）は可視化したマスクパターンの一例である。
【００４２】
〔形態画像〕
図４中（Ａ）：ビットマップ画像Ｂ０は、全体で１つの表示データとして表示データメモリ１０８に格納されている。表示データは、ビットマップ形式のモノクロ２値データや１６階調４ビットデータ等で構築されている。
【００４３】
〔個別画像〕
このビットマップ画像Ｂ０内には、各分割領域Ｒ１〜Ｒ５に対応して５つの個別画像Ｂ１〜Ｂ５が含まれている。このうち個別画像Ｂ１は、図１に示される原稿送り装置８の形態を模した画像に相当する。また個別画像Ｂ２は、本体部２の形態を模した画像に相当する。同様に個別画像Ｂ３，Ｂ４，Ｂ５は、各段の用紙供給部５０の形態を模した画像に相当する。そして、これら５つの個別画像Ｂ１〜Ｂ５を組み合わせた状態で、画像形成装置１のシステム全体の形態を模した１つのビットマップ画像Ｂ０が構成されている。なお、ここでいう個別画像Ｂ１〜Ｂ５の区別はあくまで可視画像として見たときのものであり、ビットマップ形式の表示データが５つに分割されているわけではない。
【００４４】
図４中（Ｂ）：ここでは可視化して示されているが、マスクパターンはあくまでデータとしてマスクパターンメモリ１１０に記憶されている。このマスクパターンは、表示領域Ａ内に規定された分割領域Ｒ１〜Ｒ５について、その個々に表示の可否を決定するための制御用データである。マスクパターンで表示が許可されないマスク（非表示）領域は、図４中（Ｂ）では網掛けの状態で示されている。この例では、上から４つの表示領域Ａ１〜Ａ４については表示を許可し、最下層の表示領域Ａ５については表示を許可しないことを意味する。なお、ここでは一例を示しているだけであり、マスクパターンメモリ１１０には複数通りのマスクパターンが記憶されている。
【００４５】
〔表示制御例〕
図５は、表示制御部１０２（ＣＰＵ１０４）で実行される表示制御シーケンスのフローチャートである。画像形成装置１の電源が投入されると、本体制御部１２０は所定の初期化処理を行った後、オプションコネクタ１２２の接続信号を参照してシステム構成情報を生成する。また、表示制御部１０２は所定の初期化処理を行った後、このシーケンスに移行する。以下、ステップの順を追って説明する。
【００４６】
ステップＳ０：表示制御部１０２のＣＰＵ１０４は、表示画面１００ａに形態画像を表示するべきか否かを判断する。例えば、画像形成中に用紙ジャム（詰まり）や用紙切れ、用紙サイズ指定違い等の事象が発生した場合、画像形成装置１は表示画面１００ａ上にシステム全体の形態画像を表示することで、用紙ジャム等の事象が発生した箇所をユーザに対して視覚的に伝達する動作を行う。この場合、例えば本体制御部１２０から表示制御部１０２に対し、形態画像を表示させるための表示指令が送信される。
【００４７】
上記の表示指令を受け取ると、表示制御部１０２のＣＰＵ１０４は形態画像を表示する必要があると判断し（Ｙｅｓ）、次のステップＳ１に進む。なお、特に表示指令を受信していなければ、ＣＰＵ１０４は形態画像を表示する必要はないと判断し（Ｎｏ）、本シーケンスをひとまず終了する。
【００４８】
ステップＳ１：先のステップＳ０で形態画像を表示する必要があると判断すると、表示制御部１０２のＣＰＵ１０４は現在のシステム構成情報を取得する。なおシステム構成情報は、本シーケンスを実行する前の段階で本体制御部１２０から受信したものをキャッシュしておいてもよいし、改めて本体制御部１２０から受信してもよい。
【００４９】
ステップＳ２：ＣＰＵ１０４はマスクパターンメモリ１１０にアクセスし、現在のシステム構成情報に対応するマスクパターンを選択する。
【００５０】
ステップＳ３：次にＣＰＵ１０４は表示データメモリ１０８から表示データを読み出し、選択したマスクパターンに基づいてフィルタリングする。具体的には、表示データの二次元アドレス中、マスクパターンで表示が許可されていない分割領域Ｒ１〜Ｒ５に対応するアドレス領域を「ＮＵＬＬ（空白データ）」に書き換える処理を行う。なおフィルタリングされた表示データは、例えばＲＡＭ１１２に書き込まれる。
【００５１】
ステップＳ４：ＣＰＵ１０４はフィルタリング後の表示データをＬＣＤコントローラ１０６に転送する。
ステップＳ５：表示制御部１０２のＬＣＤコントローラ１０６は、転送された表示データに基づいて液晶表示器１００を駆動する。
【００５２】
〔表示動作例〕
図６は、表示制御シーケンスの実行に伴う液晶表示器１００の表示動作例を示す図である。この表示動作例は、画像形成装置１の標準構成（本体部２＋用紙供給部５０×１段）に加えて、オプションで１段の用紙供給部５０を連結した場合のシステム構成に対応するものである。この場合、図１に示される構成例とは異なり、画像形成装置１が有する用紙供給部５０は全部で２段（標準＋１段）となる。
【００５３】
上記のシステム構成では、先のステップＳ２で図４中（Ｂ）に示されるマスクパターンが選択されるため、ステップＳ３では表示データ中の分割領域Ｒ５に対応する範囲が「ＮＵＬＬ」で書き換えられる。この結果、表示画面１００ａ上の分割領域Ｒ１〜Ｒ４ではビットマップ画像Ｂ０中の個別画像Ｂ１〜Ｂ４が表示されているが、分割領域Ｒ５での表示内容は空白となり、全体としてビットマップ画像Ｂ０が部分的にマスクされた状態で表示される。このように部分的にマスクされたビットマップ画像Ｂ０は、実際のシステム構成全体の形態（本体部２＋２段の用紙供給部５０）を正しく模した形態画像となる。
【００５４】
〔他の表示動作例〕
特に図示していないが、マスクパターンメモリ１１０に複数通りのマスクパターンを記憶しておくことで、例えば以下のように実際の画像形成装置１のシステム構成に合わせた表示動作を実現することができる。
【００５５】
（１）例えば、画像形成装置１のシステムが本体部２と１つの用紙供給部５０だけを有する標準構成の場合、分割領域Ｒ４，Ｒ５を空白とするマスクパターンが選択される。表示画面１００ａ上では個別画像Ｂ４，Ｂ５が非表示となり、個別画像Ｂ１，Ｂ２，Ｂ３を組み合わせた形態画像が表示される。
【００５６】
（２）あるいは、オプションで原稿送り装置８が設置されておらず、本体部２に２段の用紙供給部５０が連結されている場合、分割領域Ｒ１，Ｒ５を空白とするマスクパターンが選択される。表示画面１００ａ上では個別画像Ｂ１，Ｂ５が非表示となり、個別画像Ｂ２，Ｂ３，Ｂ４を組み合わせた形態画像が表示される。
【００５７】
（３）オプションで原稿送り装置８が設置されておらず、本体部２に１段の用紙供給部５０だけが連結されている場合、分割領域Ｒ１，Ｒ５，Ｒ５を空白とするマスクパターンが選択される。表示画面１００ａ上では個別画像Ｂ１，Ｂ４，Ｂ５が非表示となり、個別画像Ｂ２，Ｂ３を組み合わせた形態画像が表示される。
【００５８】
なお、マスクパターンは予め想定される全てのシステム構成のパターンに合わせて用意しておいてもよいし、あるいは、複数のグループに分けて用意しておき、各グループから選択したものを組み合わせて使用してもよい。
【００５９】
例えば、上記（２）の表示動作例に関して、以下の組み合わせを使用することができる。
第１グループ：分割領域Ｒ１を空白とするマスクパターン
第２グループ：分割領域Ｒ５を空白とするマスクパターン
【００６０】
あるいは、上記（３）の表示動作例に関して、以下の組み合わせを使用することができる。
第１グループ：分割領域Ｒ１を空白とするマスクパターン
第２グループ：分割領域Ｒ４，Ｒ５を空白とするマスクパターン
【００６１】
その他、分割領域Ｒ１，Ｒ４，Ｒ５をそれぞれ１つずつ空白とするマスクパターンを３つ用意しておき、これらを単独又は適宜に組み合わせて使用してもよい。
【００６２】
以上のように、本実施形態では実際のシステム構成に合わせてマスクパターンを選択し、表示データをフィルタリングして表示画面１００ａ上に表示しているため、表示データメモリ１０８には１種類の表示データを格納しておくだけでよい。
【００６３】
また、システム構成が変化しても、常に１種類の表示用データを使用するだけでよいことから、システム構成に合わせて複数の表示用データを読み込んだり、これらをメモリ空間上に配列して転送データを構築したりする必要がない。したがって、表示制御部１０２ではデータ処理の負担が少なく、効率よくデータの転送を行うことができる。
【００６４】
本発明は上述した実施形態に制約されることなく、種々に変形して実施可能である。一実施形態のシステム構成では、本体部２と標準の用紙供給部５０とが分離する例を挙げているが、本体部２には用紙供給部５０が一体的に内蔵されていてもよい。
【００６５】
一実施形態で挙げた表示領域Ａや分割領域Ｒ１〜Ｒ５、ビットマップ画像Ｂ０等はあくまで好ましい例示であり、これらは適宜変形して実施することができる。また、システムの構成パターンが変われば、それに応じて別のビットマップ画像が用いられるため、表示データやマスクパターンの内容も異なってくることはもちろんである。
【００６６】
一実施形態ではオプションの付属部として原稿送り装置８や用紙供給部５０を挙げているが、その他の付属部としてフィニッシャ（後処理装置）が本体部２に連結される態様であってもよい。
【００６７】
また、一実施形態では液晶表示器１００が本体部２に設置されている例を挙げているが、液晶表示器１００等は原稿送り装置８やフィニッシャ等の付属部に設置されていてもよい。
【図面の簡単な説明】
【００６８】
【図１】画像形成装置の本体部に付属部を連結したシステム構成例を示す概略図である。
【図２】液晶表示器の制御に関するブロック図である。
【図３】表示画面の一例を示す概略図である。
【図４】ビットマップ画像及びそのマスクパターンを示す図である。
【図５】表示制御部で実行される表示制御シーケンスのフローチャートである。
【図６】表示制御シーケンスの実行に伴う液晶表示器の表示動作例を示す図である。
【符号の説明】
【００６９】
１    画像形成装置
２    本体部
８    原稿送り装置（付属部）
５０    用紙供給部（付属部）
１００    液晶表示器
１０２    表示制御部（表示制御手段、表示可否決定手段）
１０４    ＣＰＵ
１０６    ＬＣＤコントローラ
１０８    表示データメモリ（データ格納手段）
１１０    マスクパターンメモリ
１２０    本体制御部
１２２    オプションコネクタ（構成検出手段）
【図１】
2008270958.tif 000003
【図２】
2008270958.tif 000004
【図３】
2008270958.tif 000005
【図４】
2008270958.tif 000006
【図５】
2008270958.tif 000007
【図６】
2008270958.tif 000008